(57)【要約】【課題】表示パネルの後側を壁面に密着するように設置することにより、デッドスペースを発生させず、部屋の空間を有効に活用することが可能な表示装置等のドライバの過熱を防止すること。【解決手段】表示装置１０は、映像を表示する表示面を前面に有する表示パネル１２と、前記表示パネル１２の縁に外向きに接続され、前記表示面側に屈曲させた軟性基板１７と、前記軟性基板１７に固定されて前記表示パネルよりも前側に配置された集積回路１８と、前記表示パネル１２の縁よりも外側に配置されており、前記集積回路１８または前記軟性基板１７の前記集積回路１８が固定された部分の裏側に接触する伝熱部材４６とを備える。【選択図】図４
2018040853.tif 000002
【特許請求の範囲】
【請求項１】
映像を表示する表示面を前面に有する表示パネルと、
前記表示パネルの縁に外向きに接続され、前記表示面側に屈曲させた軟性基板と、
前記軟性基板に固定されて前記表示パネルよりも前側に配置された集積回路と、
前記表示パネルの縁よりも外側に配置されており、前記集積回路または前記軟性基板の前記集積回路が固定された部分の裏側に接触する伝熱部材とを備えることを特徴とする表示装置。
【請求項２】
前記伝熱部材は、前記表示パネルを制御する制御基板の載置部を有することを特徴とする請求項１に記載の表示装置。
【請求項３】
前記軟性基板に接続された、前記集積回路を制御する集積回路制御基板を備え、
前記伝熱部材は、前記制御基板と前記集積回路制御基板との間に配置されることを特徴とする
請求項２に記載の表示装置。
【請求項４】
前記集積回路は、前記表示パネルを駆動するドライバであり、
前記軟性基板は、前記ドライバが実装されたドライバ基板であり、
前記集積回路制御基板は、前記軟性基板に接続されて前記ドライバを制御するドライバ制御基板であることを特徴とする
請求項３に記載の表示装置。
【請求項５】
前記伝熱部材は、柱体であり、
前記柱体の側面は、前記集積回路または前記軟性基板の前記集積回路が固定された部分の裏側に接触することを特徴とする請求項１に記載の表示装置。
【請求項６】
前記表示パネルを有する矩形板状の表示部と、前記表示部の一辺から前記表示パネルの表示面側に突出する板状のベース部とがＬ字型を形成し、
前記伝熱部材は、前記ベース部に配置されていることを特徴とする請求項１から請求項５のいずれか一つに記載の表示装置。
【請求項７】
請求項１から６のいずれか一つに記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、表示装置およびテレビジョン受信機に関する。
【背景技術】
【０００２】
液晶表示装置は、映像を表示する表示パネルを備える。表示パネルはマトリクス状に配置された多数の画素を含む。表示パネルの近傍には、集積回路であるドライバが配置される。表示パネルの各画素は、ドライバが出力するアナログ信号に基づいて動作する。
【０００３】
ドライバは、表示装置を構成する各種の集積回路の中でも、特に発熱量の大きい部品である。一般的に、集積回路は高温になると、誤動作が増えるおそれがある。さらに集積回路は高温の状態で使用し続けると故障が発生しやすい傾向がある。
【０００４】
表示パネルの周縁に接続されたドライバ基板上に実装されたドライバが発生する熱を、ドライバ基板を後方に曲げて筐体部材等に伝達して外部に放熱する表示装置が開示されている（特許文献１、特許文献２）。
【先行技術文献】
【特許文献】
【０００５】
【特許文献１】特開２００９−１４９００号公報
【特許文献２】特開２００９−３０６５１７号公報
【発明の概要】
【発明が解決しようとする課題】
【０００６】
特許文献１および特許文献２に開示された表示装置を床または机上に設置する場合には、表示パネルを有する表示部の後側と設置場所の壁面との間に空間が必要である。そのためデッドスペースが生じ、部屋の空間を有効に利用することができない。
【０００７】
一つの側面では、表示部の後側を壁面に密着するように設置することが可能な表示装置等のドライバの過熱を防止することを目的とする。
【課題を解決するための手段】
【０００８】
本発明にかかる表示装置は、映像を表示する表示面を前面に有する表示パネルと、前記表示パネルの縁に外向きに接続され、前記表示面側に屈曲させた軟性基板と、前記軟性基板に固定されて前記表示パネルよりも前側に配置された集積回路と、前記表示パネルの縁よりも外側に配置されており、前記集積回路または前記軟性基板の前記集積回路が固定された部分の裏側に接触する伝熱部材とを備える。
【０００９】
本発明にかかる表示装置は、前記伝熱部材は、前記表示パネルを制御する制御基板の載置部を有する。
【００１０】
本発明にかかる表示装置は、前記軟性基板に接続された、前記集積回路を制御する集積回路制御基板を備え、前記伝熱部材は、前記制御基板と前記集積回路制御基板との間に配置される。
【００１１】
本発明にかかる表示装置は、前記集積回路は、前記表示パネルを駆動するドライバであり、前記軟性基板は、前記ドライバが実装されたドライバ基板であり、前記集積回路制御基板は、前記軟性基板に接続されて前記ドライバを制御するドライバ制御基板である。 
【００１２】
本発明にかかる表示装置は、前記伝熱部材は、柱体であり、前記柱体の側面は、前記集積回路または前記軟性基板の前記集積回路が固定された部分の裏側に接触する。
【００１３】
本発明にかかる表示装置は、前記表示パネルを有する矩形板状の表示部と、前記表示部の一辺から前記表示パネルの表示面側に突出する板状のベース部とがＬ字型を形成し、前記伝熱部材は、前記ベース部に配置されている。
【００１４】
本発明にかかるテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてある。
【発明の効果】
【００１５】
一つの側面では、表示部の後側を壁面に密着するように設置することが可能な表示装置等のドライバの過熱を防止することができる。
【図面の簡単な説明】
【００１６】
【図１】表示装置の外観斜視図である。
【図２】表示装置の側面図である。
【図３】表示装置の主要部の分解斜視図である。
【図４】表示装置の中央部の縦断面図である。
【図５】放熱板の斜視図である。
【図６】放熱板の拡大斜視図である。
【図７】側面筐体と放熱板とを組み合わせた状態を示す模式図である。
【図８】補強体の斜視図である。
【図９】表示装置の内部の斜視図である。
【図１０】表示装置の横断面図である。
【図１１】表示パネルの拡大斜視図である。
【図１２】第１基板台の拡大斜視図である。
【図１３】第２基板台の拡大斜視図である。
【図１４】シミュレーションモデルを示す説明図である。
【図１５】比較例のシミュレーションモデルを示す説明図である。
【図１６】本実施の形態のシミュレーション結果を示す説明図である。
【図１７】比較例のシミュレーション結果を示す説明図である。
【図１８】実施の形態２の表示装置の縦断面図である。
【図１９】実施の形態３の表示装置の縦断面図である。
【発明を実施するための形態】
【００１７】
［実施の形態１］
図１は、表示装置の外観斜視図である。以下の説明では、各図中に矢印で示す前、後、左、右、上および下のそれぞれの向きを使用する。表示装置１０は、略長方形板状の表示部１１と、略長方形板状のベース部２０とを備える。表示部１１は、長方形の平板状の表示パネル１２を備える。表示パネル１２の上および左右の縁は、表示部１１の外装部材である側面筐体１３で覆われている。
【００１８】
図２は、表示装置１０の側面図である。ベース部２０は、表示部１１の下辺から前方に突出している。ベース部２０は、表示部１１の後方には突出していない。すなわち、表示装置１０は、表示部１１とベース部２０とがＬ字形に連続する形状を有する。ベース部２０の上面は平面である。ベース部２０の前面側の突出端部には、後ろ下向きに傾斜する傾斜面が設けられている。
【００１９】
図３は、表示装置１０の主要部の分解斜視図である。図４は、表示装置１０の中央部の縦断面図である。図３および図４を使用して、表示装置１０の主要部の概要について説明する。
【００２０】
表示部１１は、表示パネル１２および側面筐体１３に加えて、導光板１４、放熱板３１および後面筐体１６を有する。
【００２１】
導光板１４は、たとえば透明度の高い矩形のアクリル板である。導光板１４の広面は、表示パネル１２の広面と略同一形状である。導光板１４の表示パネル１２側の広面には、光学シートが設けられている。導光板１４の表示パネル１２とは反対側の広面には、反射シートが設けられている。
【００２２】
放熱板３１は、それぞれが略長方形板状の後板部３２、底板部３４および保持部３５を有する。後板部３２は、導光板１４の下部を後側から覆う。底板部３４は、後板部３２の下辺から前向きに突出する。保持部３５は、底板部３４の少し上側で、後板部３２から前向きに、底板部３４に比べて短く突出する。
【００２３】
後板部３２、底板部３４および保持部３５の長辺の長さは、表示部１１の下辺の長さと略同一である。保持部３５は、底板部３４と平行である。すなわち、底板部３４、保持部３５および後板部３２は、図４に示すように略Ｆ字型を形成している。
【００２４】
保持部３５の上面には、導光板１４の下側の端面に対向するように照明基板１５が固定されている。照明基板１５は、導光板１４の長辺と略同一長さの長板形状の回路基板である。照明基板１５の導光板１４に対向する面には、複数の白色ＬＥＤ（Light Emitting Diode）が実装されている。
【００２５】
後面筐体１６は、表示部１１の後面を覆う外装部材である。後面筐体１６は、背板部１６１と下板部１６２とを有する。背板部１６１は、表示パネル１２と略同一形状の長方形板状である。下板部１６２は、背板部１６１の下辺から前方に延びる長方形板状である。後面筐体１６は、長方形の薄い鋼板等を曲げることにより製作されている。
【００２６】
側面筐体１３は、下側が開口する略Ｕ字型の枠体であり、内向きに突出する前側縁１３１および後側縁１３２を有する。後側縁１３２は、前側縁１３１よりも短い。前側縁１３１は表示パネル１２および導光板１４に当接する。後側縁１３２は、後面筐体１６に当接する。側面筐体１３は、図４に示されるように前側縁１３１と後側縁１３２とが一端で接続された略Ｕ字状断面の金属棒を折り曲げて製作されている。
【００２７】
ベース部２０は、化粧板２５、上面筐体２６、下面筐体２１および第１おもり５１を有する。上面筐体２６と下面筐体２１との間には、２個のスピーカ２２、入力基板２３、制御基板２４、第１基板台４１、第２基板台４６および第４おもり５４が収容されている。
【００２８】
下面筐体２１は、長方形の底部２１１および底部２１１の前側の縁から上向きに立ち上がる縁部２１２を備える。下面筐体２１、後面筐体１６の下板部１６２、および放熱板３１の底板部３４は重ねられており、下側から第１ねじ６１により固定されている。下面筐体２１と放熱板３１の底板部３４とは、さらに前方向に延び、下側から第２ねじ６２により固定されている。第１ねじ６１および第２ねじ６２は、左右方向に沿ってそれぞれ複数配置されている。
【００２９】
底部２１１の上には、中央から前方寄りの位置に、長方形板状の第４おもり５４が固定されている。第４おもり５４は、銅合金等の熱伝導性と密度の両方が高い材料製であることが望ましい。
【００３０】
第４おもり５４の上に、第２基板台４６が固定されている。第２基板台４６の形状の詳細については後述する。第２基板台４６の上には、２個のスピーカ２２、入力基板２３、制御基板２４および図示しない配線部材等が配置されている。
【００３１】
上面筐体２６は、下面筐体２１の上部開口を覆う。上面筐体２６は、底を上側に向けた長方形箱型の箱状部２６１および箱状部２６１の縁から前側および左右に突出する外縁部２６２を有する。前側の外縁部２６２の上に、第１おもり５１が固定されている。第１おもり５１は、ベース部２０の左右方向の略全長にわたる長さを有する長板である。第１おもり５１と箱状部２６１とは、外装部品である化粧板２５により覆われている。
【００３２】
図５は、放熱板３１の斜視図である。図６は、放熱板３１の拡大斜視図である。放熱板３１は、後板部３２の左右それぞれの短辺に沿って前方に突出する長方形板状の側板部３３を有する。側板部３３の下部には、第４孔７４が設けられている。さらに、側板部３３には略等間隔に４個の第５孔７５が設けられている。第４孔７４および第５孔７５の内面には、雌ねじが設けられている。第３孔７３、第４孔７４および第５孔７５の機能については後述する。なお、第５孔７５の数は、図５に示す４個に限定しない。表示装置１０の寸法等に応じて、任意の数の第５孔７５を設けることができる。
【００３３】
底板部３４は、第１孔７１および第１孔７１の前側に配置された第２孔７２を備える。第１孔７１および第２孔７２は、左右方向に所定間隔でそれぞれ複数配列している。第１孔７１および第２孔７２の内面には雌ねじが設けられている。第１孔７１には、図４を使用して説明した第１ねじ６１が挿入される。第２孔７２には、図４を使用して説明した第２ねじ６２が挿入される。
【００３４】
底板部３４の左右の端の後方寄りには、第３孔７３が設けられている。第３孔７３は、丸孔である。後板部３２は、保持部３５の上側に接する部分に、他の部分よりも肉厚になった厚肉部３７を有する。
【００３５】
放熱板３１は、Ｆ字型断面を有するアルミニウム合金または銅合金等の高熱伝導性金属の押出成形品を切断し、端部を折り曲げて側板部３３を形成することにより製作される。
【００３６】
図７は、側面筐体１３と放熱板３１とを組み合わせた状態を示す模式図である。図７は後側からみた模式図である。図３から図７を使用して、表示部１１の強度を確保する構造について説明する。
【００３７】
側面筐体１３の後側縁１３２は、側面筐体１３の下部においては除去されており、その部分に放熱板３１がはめ込まれて、長方形の枠体を形成する。側面筐体１３の下端部においては、前側縁１３１も除去されている。
【００３８】
側面筐体１３の内面と放熱板３１の側板部３３の外面とが接触する。側面筐体１３と側板部３３とは、側面筐体１３の外側から第５孔７５に挿入された皿ねじにより固定される。以上のように、側面筐体１３と放熱板３１とが面で接触した状態で固定されることにより、外力を受けても歪みにくい、構造部材の枠体が構成される。
【００３９】
図３に示すように、表示装置１０は、表示部１１とベース部２０との間の連結を補強する２個の補強体２７を備える。２個の補強体２７は、対称形である。図８は、補強体２７の斜視図である。図８は、右側の補強体２７を示す。
【００４０】
補強体２７は、それぞれが略長方形の第１板部２７１、第２板部２７２および第３板部２７３を有する。第１板部２７１は、第２板部２７２の長辺から前側に突出する。第３板部２７３は、第２板部２７２の短辺から後側に突出する。第１板部２７１は中央部にねじ孔を有する。第３板部２７３は、中央部に貫通孔を有する。補強体２７は、略Ｌ字型の鋼板を２箇所で折り曲げて製作されている。第１板部２７１、第２板部２７２および第３板部２７３は、それぞれ互いに略垂直である。
【００４１】
図９は、表示装置１０の内部の斜視図である。図９は、表示部１１と下面筐体２１とを組み付けた状態を示す。図１０は、表示装置１０の横断面図である。図１０は、表示装置１０を、図２のＸ−Ｘ線により切断した断面の右端の部分を示す。なお、以下では表示装置１０の右端の部分の構造を例にして説明するが、表示装置１０の左側も同様の構造である。
【００４２】
補強体２７は、表示部１１の右下方に配置されている。第１板部２７１は、放熱板３１の底板部３４の上に配置されている。第３板部２７３は、下面筐体２１の内面と側面筐体１３の外面との間に挟まれている。
【００４３】
第３板部２７３の中央部に設けられた丸孔は、図６を使用して説明した側板部３３の第４孔７４と対応する位置に設けられている。側面筐体１３および下面筐体２１には、第４孔７４と対応する位置に図示しない丸孔が設けられている。図１０に示すように、下面筐体２１、補強体２７、側面筐体１３および放熱板３１の側板部３３は、下面筐体２１の外側から挿入される第４ねじ６４により固定される。
【００４４】
第１板部２７１の中央部に設けられたねじ孔は、図６を使用して説明した底板部３４の第３孔７３と対応する位置に設けられている。後面筐体１６の下板部１６２にも、第３孔７３と対応する位置に図示しない丸孔が設けられている。さらに、下面筐体２１の底部２１１には、第３孔７３と対応する位置に皿孔が設けられている。下面筐体２１、後面筐体１６、放熱板３１および補強体２７は、下側から挿入される第３ねじ６３により固定される。第３ねじ６３は、皿ねじである。
【００４５】
以上に説明したように、左右に補強体２７を用いることにより、表示部１１とベース部２０とが強固に固定される。なお、補強体２７を使用せず、下面筐体２１、側面筐体１３および放熱板３１を２本以上のねじを用いて固定しても良い。
【００４６】
図１１は、表示パネル１２の拡大斜視図である。表示パネル１２の下辺に沿って外向きに、複数のドライバ基板１７が接続されている。ドライバ基板１７は、表示パネル１２に接続された軟性基板の一例である。ドライバ基板１７は長方形であり、一方の長辺が表示パネル１２に接続されている。ドライバ基板１７には、たとえばポリイミド製シートと金属製の配線パターンとを積層したＦＰＣ（Flexible printed circuits）を使用する。
【００４７】
ドライバ基板１７の他方の長辺には、ドライバ制御基板１９が接続されている。図３に示すようにドライバ制御基板１９は、表示パネル１２の長辺の約半分の長さの長辺を有する長方形の基板である。表示装置１０は、２枚のドライバ制御基板１９を有する。１枚のドライバ制御基板１９は、６枚のドライバ基板１７を介して表示パネル１２に接続されている。
【００４８】
図４に示すように、ドライバ基板１７の後面には、ドライバ１８が実装されている。ドライバ１８は、表示パネル１２の表示面よりも前側に配置されている。ドライバ１８は、ドライバ制御基板１９から入力された信号に基づいて表示パネル１２の各画素を駆動する駆動信号を出力する集積回路である。なお、ドライバ１８は、表示パネル１２の近傍に配置する集積回路の一例である。また、ドライバ制御基板１９は、集積回路制御基板の一例である。
【００４９】
ドライバ制御基板１９およびドライバ基板１７の数は、図３に示すものに限定しない。表示パネル１２の画素数等の仕様に応じた、任意の数のドライバ制御基板１９およびドライバ基板１７を使用することができる。１枚のドライバ基板１７に複数のドライバ１８を実装しても良い。
【００５０】
図１２は、第１基板台４１の拡大斜視図である。図３および図１２を使用して、第１基板台４１の形状を説明する。第１基板台４１は、左右方向に長い２段の階段状の階段板部４３と、基板おさえ部４２と有する。基板おさえ部４２は、階段板部４３の中央部から前方向に延び、上に延びた後に後方に折り返すＪ字板状である。
【００５１】
図１３は、第２基板台４６の拡大斜視図である。図３および図１３を使用して、第２基板台４６の形状を説明する。第２基板台４６は、左右方向に長い長方形板の前側の長辺の中央部に、前向きに延びるメイン基板載置部４７を有し、メイン基板載置部４７の左右に前向きに延びるスピーカ載置部４８を有する。さらに第２基板台４６は、左右方向に長い長方形板の後側の長辺から斜め上後方に立ち上がる伝熱部４９を有する。第２基板台４６は、本実施の形態の伝熱部材の一例である。
【００５２】
第２基板台４６は、アルミニウム合金または銅合金等の高熱伝導性を有する金属板を折り曲げることにより製作される。高熱伝導性グレードのナイロン樹脂、ポリカーボネート樹脂等の高熱伝導性樹脂を射出成形して第２基板台４６を製作しても良い。
【００５３】
図４に示すように、第１基板台４１は、基板おさえ部４２を前側に向けて、放熱板３１の底板部３４の上部に固定されている。第２基板台４６は、伝熱部４９が表示パネル１２の下辺の下側近傍に位置するように固定されている。
【００５４】
図９に示すように、ドライバ基板１７はベース部２０内で前方、すなわち表示面側に向けて屈曲させてある。図４に示すように、表示装置１０の中央部において、ドライバ制御基板１９の端部は基板おさえ部４２に保持される。ドライバ基板１７は、ドライバ１８が実装された部分の裏側で、伝熱部４９に接触する。
【００５５】
図３に示すように、スピーカ載置部４８の上には、スピーカ２２が固定される。メイン基板載置部４７の上には、入力基板２３、制御基板２４等が固定される。さらにベース部２０の内部には、各基板等を接続する配線等が収容される。
【００５６】
入力基板２３は、外部からの映像信号の入力を受け付けて、所定の信号処理を行う基板である。制御基板２４は、入力基板２３から出力された信号を受け付けて、ドライバ制御基板１９を制御する信号を出力する基板である。制御基板２４は、表示パネル１２を制御する制御部の一例である。
【００５７】
表示装置１０の動作の概要を説明する。照明基板１５に搭載された白色ＬＥＤからの出射光は、導光板１４の下面に入射する。入射した光は、導光板１４の作用により、平面光になって導光板１４の前側の広面から放射される。放射された平面光は、表示パネル１２の背面から前側に透過する。すなわち導光板１４と照明基板１５とは、表示パネル１２を背面から照明するバックライトを構成している。
【００５８】
照明基板１５は、表示パネル１２の後側を照明する本実施の形態の照明部の一例である。照明基板１５には、白色ＬＥＤの代わりに有機ＥＬ（ElectroLuminescence）素子等の発光体が実装されていても良い。照明部は、冷陰極管等の発光体であっても良い。
【００５９】
なお、導光板１４と照明基板１５とを組み合わせた、エッジライト方式のバックライトの代わりに、表示パネル１２の後側に多数の白色ＬＥＤと拡散シート等を配置したいわゆる直下型のバックライトを使用しても良い。
【００６０】
入力基板２３から入力された映像信号に基づいて、制御基板２４がドライバ制御基板１９を制御する信号を接続する。ドライバ制御基板１９の制御に基づいて、ドライバ１８が表示パネル１２を構成する各画素を制御する。これにより、表示パネル１２を構成する各画素がバックライトから放射された光を透過および遮蔽する。バックライトの作用により、ユーザは表示パネル１２に表示される映像を視認することができる。
【００６１】
なお、入力基板２３および制御基板２４の機能の一部または全部を、表示装置１０の外部に設けた機器が実行しても良い。
【００６２】
表示装置１０の放熱について説明する。表示装置１０を構成する部品のうち、照明基板１５およびドライバ１８は特に発熱量の多い部品である。それぞれの部品から発生する熱を放熱する構造について説明する。
【００６３】
照明基板１５から発生した熱は、放熱板３１を介して後面筐体１６および下面筐体２１に伝達される。伝達された熱は、後面筐体１６および下面筐体２１からさらに上面筐体２６、側面筐体１３、および表示装置１０の周囲の床、壁、空中等に拡散する。以上により、照明基板１５で発生した熱は、表示装置１０の外部に放熱され、照明基板１５の過熱が防止される。
【００６４】
ドライバ１８から発生した熱は、ドライバ基板１７を介して伝熱部４９に伝達される。伝達された熱は、第２基板台４６全体に拡散すると共に、熱伝導性にすぐれた第４おもり５４を介して下面筐体２１に伝わり、表示装置１０の周囲の床、壁、空中等に拡散する。以上により、ドライバ１８で発生した熱は、表示装置１０の外部に放熱され、ドライバ１８の過熱が防止される。
【００６５】
なお、ドライバ基板１７または伝熱部４９に、少量の熱伝導グリースを塗布しても良い。このようにして熱伝導を補助することにより、さらに効率良く放熱を行うことができる。
【００６６】
表示装置１０の転倒防止について説明する。前述のように、本実施の形態の表示装置１０はＬ字型であるので表示部１１の後面を壁面に密着するように設置することが可能である。しかし、ここでは表示装置１０が壁面から離れた場所に設置されている場合について説明する。
【００６７】
図４を使用して説明したように、ベース部２０の前側に第１おもり５１および第４おもり５４が固定されている。これらのおもりにより、表示装置１０の重心はおもりが無い場合に比べて前側に位置する。したがって、表示部１１に後ろ向きの力が加わった場合であっても、表示装置１０が後ろに転倒することを防止できる。
【００６８】
外力が加わった場合の放熱板３１の変形について、シミュレーション結果に基づいて説明する。図１４は、シミュレーションモデルを示す説明図である。図１５は、比較例のシミュレーションモデルを示す説明図である。
【００６９】
図１４は、本実施の形態の表示装置１０の変形をシミュレーションするモデルを示す。図１４に示すモデルにおいては、放熱板３１は７本の第１ねじ６１、７本の第２ねじ６２（図４参照）、２本の第３ねじ６３（図１０参照）および２本の第４ねじ６４（図１０参照）により下面筐体２１に固定されている。
【００７０】
図１５は、底板部３４に照明基板１５を固定する比較例の表示装置１０の変形をシミュレーションするモデルを示す。図１５に示すモデルにおいては、放熱板３１は７本の第１ねじ６１、２本の第３ねじ６３および２本の第４ねじ６４により下面筐体２１に固定されている。
【００７１】
図１６は、本実施の形態のシミュレーション結果を示す説明図である。図１７は、比較例のシミュレーション結果を示す説明図である。いずれの場合も、表示部１１の上辺の中央部に、後ろ向きに１００ニュートンの力を加えた場合の変形をシミュレーションしている。
【００７２】
図１６は、図１４中にＡで示す面、すなわち保持部３５の前側の端面の変形のシミュレーション結果である。図１７は、図１５中にＢで示す面の変形のシミュレーション結果である。図１６および図１７は、同一の縮尺で変形量を上下方向に拡大して示す。
【００７３】
図１６に示すように、本実施の形態の保持部３５は、力を加えた場合であっても平らな状態である。放熱板３１と下面筐体２１とを固定する底板部３４とは別に保持部３５を設けてあるため、第１ねじ６１等で固定した部分の影響が保持部３５に伝わりにくいからである。一方、図１７に示すように比較例においては、照明基板１５を載せた面は波打つように変形する。比較例においては、第１ねじ６１等で固定した部分の影響が、照明基板１５を載せた面に直接伝わるからである。
【００７４】
なお、前述のとおり後板部３２は、保持部３５の上側に接する部分に、他の部分よりも肉厚になった厚肉部３７を有するため、この部分では変形を生じにくい。そのため、外力による変形は、主に保持部３５と底板部３４との間の部分で発生し、表示部１１内の部品間の位置ずれ等は生じにくい。
【００７５】
比較例においては、照明基板１５も波打つように変形することにより、断線等の破損が生じるおそれがある。さらに、照明基板１５と導光板１４の端面とが接触することによる傷、破損および変形が生じるおそれもある。変形等により照明基板１５と導光板１４との位置関係がずれた場合には、輝度ムラ等による画質の低下が発生する。
【００７６】
本実施の形態によると、表示部１１の後面が壁面に密着するように設置できる表示装置１０を提供することができる。さらに、表示パネル１２を制御する各種基板等をベース部２０に配置するので、表示部１１を薄くすることができる。以上により、デッドスペースを発生させず、部屋の空間を有効に活用できる表示装置１０を提供することができる。
【００７７】
本実施の形態によると、第１おもり５１および第４おもり５４により重心が表示パネル１２よりも前方に位置するため、外力により転倒しにくい表示装置１０を提供することができる。本実施の形態によると、照明基板１５を保持する保持部３５が、下面筐体２１と固定する底板部３４とは別に設けられているため、外力による照明基板１５の歪みおよび破損等による画質低下が生じにくい表示装置１０を提供することができる。
【００７８】
本実施の形態によると、側面筐体１３と放熱板３１とが面で接触した状態で固定された歪みにくい枠体が構成されるため、外力を受けた場合であっても表示パネル１２、導光板１４および後面筐体１６等の薄い部材が変形または破壊することを防ぐことができる。また、放熱板３１が構造部材を兼ねることにより、少ない部品数で表示装置１０を構成することができる。
【００７９】
本実施の形態によると、放熱板３１と下面筐体２１とを固定する底板部３４とは別に保持部３５を設けてあるため、外力を受けた場合であっても照明基板の波打つような変形による破損および画質の低下が生じにくい表示装置１０を提供することができる。
【００８０】
本実施の形態によると、照明基板１５およびドライバ１８が発生する熱を効率良く放熱できる表示装置１０を提供することができる。これにより、熱による各部品の損傷、劣化、誤作動等を防止することができる。
【００８１】
本実施の形態によると、図２を使用して説明したように、ベース部２０の前側の面は、後ろ下向きの傾斜を有する。そのため、表示装置１０を前側からみると、ベース部２０の存在は目立たず、表示パネル１２と壁とが一体化したような印象を与えるデザインの表示装置１０を提供することができる。
【００８２】
表示装置１０をテレビジョン受信機として使用する場合には、入力基板２３にテレビジョン放送のアンテナを接続するアンテナ端子およびテレビジョン放送の電波を受信するチューナ回路を備えたテレビジョン受信部を搭載する。テレビジョン受信部が受信した放送信号に所定の処理を行い、映像信号と音声信号とに分離する。映像信号に基づき表示パネル１２に映像を表示する。音声信号はスピーカ２２から出力する。なお、入力基板２３に、アンテナ端子の代わりにテレビジョン放送受信用のアンテナを搭載しても良い。
【００８３】
このように、表示装置１０をテレビジョン受信機として使用することにより、表示パネル１２と、軟性基板１７と、集積回路１８と、伝熱部材４６とを備えるテレビジョン受信機を提供することができる。表示パネル１２は、映像を表示する表示面を前面に有する。軟性基板１７は、表示パネル１２の縁に外向きに接続され、表示面側に屈曲させてある。集積回路１８は、軟性基板１７に固定されて前記表示パネルよりも前側に配置される。伝熱部材４６は、表示パネル１２の縁よりも外側に配置されており、集積回路１８または軟性基板１７の集積回路１８が固定された部分の裏側に接触する。
【００８４】
以上の構成により、表示部１１の後側を壁面に密着するように設置することが可能なテレビジョン受信機を提供することができる。さらに、テレビジョン受信機内のドライバ１８の過熱を防止することができる。
【００８５】
［実施の形態２］
本実施の形態は、ドライバ１８と伝熱部４９とが直接接触する表示装置１０に関する。なお、実施の形態１と共通する部分については、説明を省略する。
【００８６】
図１８は、実施の形態２の表示装置１０の縦断面図である。本実施の形態においては、ドライバ１８はドライバ基板１７の前側の面に実装されている。そのため、ドライバ１８は、ドライバ基板１７を介さずに直接伝熱部４９に接触する。
【００８７】
本実施の形態によると、ドライバ１８が発生した熱は第２基板台４６に確実につたわり、第４おもり５４および下面筐体２１を介して放熱できる表示装置１０を提供することができる。
【００８８】
［実施の形態３］
本実施の形態は、異なる構成の伝熱部材を有する表示装置１０に関する。なお、実施の形態１と共通する部分については、説明を省略する。
【００８９】
図１９は、実施の形態３の表示装置１０の縦断面図である。本実施の形態においては、表示パネル１２は有機ＥＬ表示パネルである。有機ＥＬは自発光素子であるので、照明基板１５、導光板１４および放熱板３１は不要である。したがって、表示部１１を薄くすることが可能である。表示パネル１２の後面は、後面筐体１６により覆われる。
【００９０】
上面筐体２６の下側に、伝熱棒３６および基板保持爪２８が配置されている。伝熱棒３６は、アルミニウム合金または銅合金等の高熱伝導性金属製の円柱である。伝熱棒３６は、本実施の形態の伝熱部材の一例である。基板保持爪２８は、上面筐体２６の下面から表示パネル１２側に向けて延びる略Ｌ字型である。
【００９１】
表示パネル１２の下辺とドライバ制御基板１９とを接続するドライバ基板１７は、伝熱棒３６の下側に沿って屈曲する。ドライバ制御基板１９は、基板保持爪２８により上面筐体２６の下側に保持される。ドライバ基板１７には、ドライバ１８が実装されている。ドライバ基板１７の、ドライバ１８の実装された部分の裏側は、伝熱棒３６に接触する。
【００９２】
ドライバ１８から発生した熱は、ドライバ基板１７を介して伝熱棒３６に伝達される。伝達された熱は、伝熱棒３６から上面筐体２６を介して表示装置１０の外装部品全体に伝わり、表示装置１０の周囲の床、壁、空中等に拡散する。以上により、ドライバ１８で発生した熱は、表示装置１０の外部に良好に放熱され、ドライバ１８の過熱が防止される。
【００９３】
なお、ドライバ基板１７または伝熱棒３６に、少量の熱伝導グリースを塗布しても良い。このようにして熱伝導を補助することにより、さらに効率良く放熱を行うことができる。伝熱棒３６は、ドライバ基板１７と接する部分以外は角ばった形状であっても良い。
【００９４】
本実施の形態によると、表示部１１が薄い表示装置１０を提供することができる。
【００９５】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００９６】
本発明にかかる表示装置１０は、映像を表示する表示面を前面に有する表示パネル１２と、前記表示パネル１２の縁に外向きに接続され、前記表示面側に屈曲させた軟性基板１７と、前記軟性基板１７に固定されて前記表示パネルよりも前側に配置された集積回路１８と、前記表示パネル１２の縁よりも外側に配置されており、前記集積回路１８または前記軟性基板１７の前記集積回路１８が固定された部分の裏側に接触する伝熱部材４６とを備える。
【００９７】
本発明にあっては、集積回路１８が発生する熱を効率良く放熱できる表示装置１０を提供することができる。これにより、熱による集積回路およびその周辺に配置された部品の損傷、劣化、誤作動等を防止することができる。
【００９８】
本発明にかかる表示装置１０は、前記伝熱部材４６は、前記表示パネル１２を制御する制御基板２４の載置部を有する。
【００９９】
本発明にあっては、伝熱部材４６および制御基板２４をベース部２０内に配置するため、表示部１１が薄い表示装置１０を提供することができる。
【０１００】
本発明にかかる表示装置１０は、前記軟性基板１７に接続された、前記集積回路１８を制御する集積回路制御基板１９を備え、前記伝熱部材４６は、前記制御基板２４と前記集積回路制御基板１９との間に配置される。
【０１０１】
本発明にあっては、集積回路制御基板１９と伝熱部材４６と制御基板２４とを積層してベース部２０内に配置するため、ベース部２０が小さい表示装置１０を提供することができる。
【０１０２】
本発明にかかる表示装置１０は、前記集積回路１８は、前記表示パネル１２を駆動するドライバ１８であり、前記軟性基板１７は、前記ドライバ１８が実装されたドライバ基板１７であり、前記集積回路制御基板１９は、前記軟性基板１７に接続されて前記ドライバ１８を制御するドライバ制御基板１９である。
【０１０３】
本発明にあっては、表示パネル１２を駆動するドライバ１８が発生する熱を効率良く放熱できる表示装置１０を提供することができる。これにより、熱によるドライバ１８の損傷、劣化、誤作動等を防止することができる。
【０１０４】
本発明にかかる表示装置１０は、前記伝熱部材３６は、柱体であり、前記柱体の側面は、前記集積回路１８または前記軟性基板１７の前記集積回路１８が固定された部分の裏側に接触する。
【０１０５】
本発明にあっては、集積回路１８が発生する熱をさらに効率良く放熱できる表示装置１０を提供することができる。
【０１０６】
本発明にかかる表示装置１０は、前記表示パネル１２を有する矩形板状の表示部１１と、前記表示部１１の一辺から前記表示パネル１２の表示面側に突出する板状のベース部２０とがＬ字型を形成し、前記伝熱部材３６、４６は、前記ベース部２０に配置されている。
【０１０７】
本発明にあっては、表示部１１の後側を壁面に密着するように設置することにより、デッドスペースを発生させず、部屋の空間を有効に活用することが可能なＬ字型の表示装置１０を提供することができる。
【０１０８】
本発明にかかるテレビジョン受信機は、上述のいずれか一つに記載の表示装置１０と、テレビジョン放送を受信する受信部とを備え、前記受信部にて受信したテレビジョン放送に基づいて、前記表示装置１０に映像を表示するようにしてある。
【０１０９】
本発明にあっては、集積回路１８が発生する熱を効率良く放熱できるテレビジョン受信機を提供することができる。
【符号の説明】
【０１１０】
１０  表示装置
１１  表示部
１２  表示パネル
１３  側面筐体
１３１  前側縁
１３２  後側縁
１４  導光板
１５  照明基板
１６  後面筐体
１６１  背板部
１６２  下板部
１７  ドライバ基板  （軟性基板）
１８  ドライバ  （集積回路）
１９  ドライバ制御基板  （集積回路制御基板）
２０  ベース部
２１  下面筐体
２１１  底部
２１２  縁部
２２  スピーカ
２３  入力基板
２４  制御基板
２５  化粧板
２６  上面筐体
２６１  箱状部
２６２  外縁部
２７  補強体
２７１  第１板部
２７２  第２板部
２７３  第３板部
２８  基板保持爪
３１  放熱板
３２  後板部
３３  側板部
３４  底板部
３５  保持部
３６  伝熱棒  （伝熱部材）
３７  厚肉部
４１  第１基板台
４２  基板おさえ部
４３  階段板部
４６  第２基板台  （伝熱部材）
４７  メイン基板載置部
４８  スピーカ載置部
４９  伝熱部
５１  第１おもり
５４  第４おもり
６１  第１ねじ
６２  第２ねじ
６３  第３ねじ
６４  第４ねじ
７１  第１孔
７２  第２孔
７３  第３孔
７４  第４孔
７５  第５孔
【図１】
2018040853.tif 000003
【図２】
2018040853.tif 000004
【図３】
2018040853.tif 000005
【図４】
2018040853.tif 000006
【図５】
2018040853.tif 000007
【図６】
2018040853.tif 000008
【図７】
2018040853.tif 000009
【図８】
2018040853.tif 000010
【図９】
2018040853.tif 000011
【図１０】
2018040853.tif 000012
【図１１】
2018040853.tif 000013
【図１２】
2018040853.tif 000014
【図１３】
2018040853.tif 000015
【図１４】
2018040853.tif 000016
【図１５】
2018040853.tif 000017
【図１６】
2018040853.tif 000018
【図１７】
2018040853.tif 000019
【図１８】
2018040853.tif 000020
【図１９】
2018040853.tif 000021
【手続補正書】
【提出日】平成29年12月27日(2017.12.27)
【手続補正１】
【補正対象書類名】明細書
【補正対象項目名】０００８
【補正方法】変更
【補正の内容】
【０００８】
本発明にかかる表示装置は、映像を表示する表示面を前面に有する表示パネルと、前記表示パネルの縁に外向きに接続され、前記表示面側に屈曲させた軟性基板と、前記軟性基板に固定されて前記表示パネルよりも前側に配置された集積回路と、前記表示パネルの縁よりも外側に配置されており、前記集積回路または前記軟性基板の前記集積回路が固定された部分の裏側に接触する伝熱部材と、前記伝熱部材に設けられた、前記表示パネルを制御する制御基板の載置部とを備える。
【手続補正２】
【補正対象書類名】明細書
【補正対象項目名】０００９
【補正方法】削除
【補正の内容】
【手続補正３】
【補正対象書類名】明細書
【補正対象項目名】００９６
【補正方法】変更
【補正の内容】
【００９６】
本発明にかかる表示装置１０は、映像を表示する表示面を前面に有する表示パネル１２と、前記表示パネル１２の縁に外向きに接続され、前記表示面側に屈曲させた軟性基板１７と、前記軟性基板１７に固定されて前記表示パネルよりも前側に配置された集積回路１８と、前記表示パネル１２の縁よりも外側に配置されており、前記集積回路１８または前記軟性基板１７の前記集積回路１８が固定された部分の裏側に接触する伝熱部材４６と、前記伝熱部材４６に設けられた、前記表示パネル１２を制御する制御基板２４の載置部とを備える。
【手続補正４】
【補正対象書類名】明細書
【補正対象項目名】００９８
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
映像を表示する表示面を前面に有する表示パネルと、
前記表示パネルの縁に外向きに接続され、前記表示面側に屈曲させた軟性基板と、
前記軟性基板に固定されて前記表示パネルよりも前側に配置された集積回路と、
前記表示パネルの縁よりも外側に配置されており、前記集積回路または前記軟性基板の前記集積回路が固定された部分の裏側に接触する伝熱部材と、
前記伝熱部材に設けられた、前記表示パネルを制御する制御基板の載置部と
を備えることを特徴とする表示装置。
【請求項２】
前記軟性基板に接続された、前記集積回路を制御する集積回路制御基板を備え、
前記伝熱部材は、前記制御基板と前記集積回路制御基板との間に配置されることを特徴とする
請求項１に記載の表示装置。
【請求項３】
前記集積回路は、前記表示パネルを駆動するドライバであり、
前記軟性基板は、前記ドライバが実装されたドライバ基板であり、
前記集積回路制御基板は、前記軟性基板に接続されて前記ドライバを制御するドライバ制御基板であることを特徴とする
請求項２に記載の表示装置。
【請求項４】
前記伝熱部材は、柱体であり、
前記柱体の側面は、前記集積回路または前記軟性基板の前記集積回路が固定された部分の裏側に接触することを特徴とする請求項２に記載の表示装置。
【請求項５】
前記表示パネルを有する矩形板状の表示部と、前記表示部の一辺から前記表示パネルの表示面側に突出する板状のベース部とがＬ字型を形成し、
前記伝熱部材は、前記ベース部に配置されていることを特徴とする請求項１から請求項４のいずれか一つに記載の表示装置。
【請求項６】
請求項１から５のいずれか一つに記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。